(57)【要約】多感覚刺激装置（１）は、ユーザを正しい位置に支持するように構成された支持体（２）と、前記支持体（２）を支持するように構成された基部構造（３）と、前記基部構造（３）に対する前記支持体（２）の相対運動を作り出すように構成された移動機構（４）と、前記基部構造（３）に接続されると共に前記ユーザの感覚の少なくとも一部を刺激するように構成された刺激機器（５）と、前記移動機構（４、４ａ）及び前記刺激機器（５）を制御するように構成された電子カード（６）と、を有する。
2014503263.tif 000002
【特許請求の範囲】
【請求項１】
ユーザを正しい位置に支持するように構成された支持体（２）と、前記支持体（２）を支持するように構成された基部構造（３）とを有する多感覚刺激装置（１）であって、
前記基部構造（３）に対する前記支持体（２）の相対運動を作り出すように構成された移動機構（４、４ａ）と、前記基部構造（３）に接続されると共に前記ユーザの感覚の少なくとも一部を刺激するように構成された刺激機器（５）と、前記移動機構（４、４ａ）及び前記刺激機器（５）を制御するように構成された電子カード（６）と、を有する、
ことを特徴とする多感覚刺激装置（１）。
【請求項２】
前記基部構造（３）に対する前記支持体（２）の前記相対運動は、振動である、
ことを特徴とする請求項１に記載の装置（１）。
【請求項３】
前記基部構造（３）に対する前記支持体（２）の前記相対運動は、周期的変動である、
ことを特徴とする請求項１に記載の装置（１）。
【請求項４】
前記刺激機器（５）、前記移動機構（４、４ａ）及び前記電子カード（６）は、前記基部構造（３）内部に少なくとも一部が収容されている、
ことを特徴とする請求項１から請求項３の何れか１項に記載の装置（１）。
【請求項５】
前記刺激機器（５）は、前記ユーザの聴覚を刺激するように構成されたスピーカ（７）を有する、
ことを特徴とする請求項１から請求項４の何れか１項に記載の装置（１）。
【請求項６】
前記刺激機器（５）は、前記ユーザの視覚を刺激するように構成された光拡散器（９、９ａ、９ｂ）を有する、
ことを特徴とする請求項１から請求項５の何れか１項に記載の装置（１）。
【請求項７】
前記刺激機器（５）は、前記ユーザの嗅覚を刺激するように構成された嗅覚拡散器（８）を有する、
ことを特徴とする請求項１から請求項６の何れか１項に記載の装置（１）。
【請求項８】
前記刺激機器（５）は、前記ユーザの嗅覚、視覚及び聴覚を同時に刺激するように構成されている、
ことを特徴とする請求項１から請求項７の何れか１項に記載の装置（１）。
【請求項９】
前記装置（１）の作動を制御するように構成された作動ユニット（１１）を有する、
ことを特徴とする請求項１から請求項８の何れか１項に記載の装置（１）。
【請求項１０】
前記作動ユニット（１１）は、前記支持体（２）上の前記ユーザの存在を検出するように構成されたセンサを有する、
ことを特徴とする請求項１から請求項９の何れか１項に記載の装置（１）。
【請求項１１】
動力供給システム（１０）は、光起電性パネル（１０ａ）を有する、
ことを特徴とする請求項１０に記載の装置（１）。
【発明の詳細な説明】
【技術分野】
【０００１】
本発明は、請求項１の前提部において特定されたタイプの多感覚刺激装置に関する。
【背景技術】
【０００２】
知られているように、ウエイド・マーシャル（Wade Marshall）教授及びワイルダー・ペンフィールド（Wilder Penfield）教授の研究などの重要な研究は、幾つかの感覚器官と脳の部分との間の相関を明らかにし、脳活動における正しい感覚刺激の重要性を実証した。
【０００３】
これらの研究は、我々の体の他の有機組織とは異なる脳組織が、日常生活の中で出くわす環境の刺激によってかなりの程度まで決定される神経細胞から超顕微鏡的構造に至るまでの組織を有しているということに基づいている。
【０００４】
詳しくは、基本構造組織は、遺伝因子によって予め決定されるが、その成長及びその後の結末並びにニューロン間の回復は、環境刺激によって決定され、従って環境刺激は、脳成長及び神経間結合部の強化の基本となる。多感覚刺激は従って、例えば手足の切断を受けて生じる例えば情報転送、学習能力、神経可塑性、感覚地図の再編成などの多くの脳機能の基本となる。
【０００５】
特に、感覚刺激は、身体障害者に適用され、意欲、集中及び協調の領域において改善が認められた。すなわち、認識障害のある人々に適用され、そこでは緩和を改善するために、またそうしないと実現することができない刺激を提供するために使用され、精神病的な問題のある人々に適用され、そこでは治療関係の発達のための理想的状況を提供するために使用され、最後に急性あるいは慢性の痛みが起こる者に適用され、そこでは深い緩和及び生活の質が向上したとの認識に起因する「再人間的」効果を有する。
【０００６】
多感覚活動は現在、「スヌーズレン・ルーム（Snoezelen Room）」として知られる好適に設備が整えられた部屋を備えた特定のセンターにおいてのみ行われている。
【０００７】
前記部屋は、１つ若しくはそれ以上の環境要素（外部照明用スクリーン、壁、天井及び床の色、表面の質感）、視覚要素（ディスク映像投影機、照明効果）、触覚要素（音楽に合わせて振動する肘掛け椅子）、音楽要素（特別に選択されたラウンジミュージック）及び嗅覚要素（周囲の香り）を最適化することによって設計されている。
【発明の概要】
【発明が解決しようとする課題】
【０００８】
前記背景技術は幾つかの重要な欠点を有する。
【０００９】
「スヌーズレン・ルーム」は、パラメータの複雑さのために、実際には、設計に関する限りまた使用するときの両方において非常に高価である。
【００１０】
この問題によって、このタイプの治療は非常に高価であり、従ってあらゆる人に利用されるものではない。
【００１１】
前記の高コストに関連する別の問題は、多感覚刺激の無数の効能にもかかわらず、これらの治療の普及が極めて限定されていることである。
【００１２】
更なる問題は、多数のパラメータのために熟練技術者でさえ複雑である調節によって構成されている。
【００１３】
その結果として起こる問題は、これらの部屋の使用が複雑であり、技術者の存在が必要であることである。
【００１４】
この状況において、本発明の目標は、前記の欠点を実質的に取り除くことができる多感覚刺激装置を提供することである。
【００１５】
この目標内において、本発明の目的は、簡単に使うことができると共に低コストである多感覚刺激装置を提供することである。
【００１６】
本発明の別の目的は、技術者の存在なしに、この治療を実行可能にする装置を提供することである。
【課題を解決するための手段】
【００１７】
この目標及びこれらの目的は、添付される請求項１に記載の多感覚刺激装置によって達せられる。
【００１８】
好ましい実施形態は、従属請求項において明らかにされる。
【００１９】
本発明の特徴及び利点は、添付図面に関連する本発明の好ましい実施形態の詳細な説明からより明らかになるであろう。
【図面の簡単な説明】
【００２０】
【図１】本発明の第１実施形態に係る多感覚刺激装置を示す図である。
【図２】本発明の第１実施形態に係る前記装置の構成要素の上面図である。
【図３】図１に示す前記装置の側面図である。
【図４】第２実施形態に係る感覚刺激装置の側面図である。
【発明を実施するための形態】
【００２１】
図面に関して、本発明に係る多感覚刺激装置は概括的に参照符号１によって表されている。
【００２２】
前記装置は、ユーザを正しい位置に支持するように構成された支持体２と、地面又は静止面に接続されると共に地面に対して高くした位置に支持体２を保持するように構成された基部構造３と、基部構造３に対する支持体の相対運動を作り出すように構成された移動機構４と、基部構造３に少なくとも部分的に収容されると共にユーザの感覚の少なくとも一部を刺激するように構成された刺激機器５と、移動機構４と刺激機器５とを制御するように構成された電子カード６とを有する。
【００２３】
具体的には、基部構造３は、その内部に少なくとも部分的に、移動機構４、刺激機器５及び電子カード６を収容するように構成された内部空洞を備えている。好ましくは、基部構造３は、その内部に刺激機器５と移動機構４とをすべて収容する。最後に、基部構造は、前記の機器によって作り出される刺激がユーザに達することができる好適な開口部を有し、移動機構４と支持体２との間の運動伝達接続を提供する。
【００２４】
支持体２は好ましくは、多感覚刺激中にユーザに快適な人間工学的位置を付与するように構成された椅子又は他の同様の要素によって構成される。好ましくは、支持体は、図１に示すような支持体２の内部において、ユーザがあおむけになった姿勢で、好ましくは胎児のような姿勢で横になるのに適している。
【００２５】
支持体２は、ユーザの体に接触して支持体２の表面全体を覆うように構成されたマット、好ましくは抗菌材料から作られるマットを有利に有する。前記マットは、縁に伸縮素材を備えた不織布から作られる使い捨てケースを有利に有する。
【００２６】
図４に示す第２実施形態によれば、支持体２は、ユーザの膝の下に接触する支持部分に支持湾曲部２０を有し、支持湾曲部２０は、脚部支持及びユーザの体の正しい配置を促進するように且つユーザのずれを回避するように構成されている。支持体２は更に、ユーザの腕部をその側面に沿って収容するように構成された凹状形状２１を有する。支持体２はまた、ユーザの頭部を支持するように構成された首部の首筋のための支持要素２２を有し、支持要素２２は有利には、パッド付又は膨張式クッションを備えたタイプからなる。前記首筋支持要素を振動させるのに適した手段を設けること、あるいは膨張式クッションを備えた前記首筋支持要素の実施形態では前記クッションを膨張及び収縮させるように構成された手段を設けることが有益である。
【００２７】
別の方法として、支持体２は、ユーザが直立することができる簡単なプラットフォーム又は他の同様の要素によって構成することができる。
【００２８】
支持体２は、移動機構４によって移動され、移動機構４は、基部構造３に対して、従って地面又は静止面に対して支持体２を移動するように構成されたモータを有する。具体的には、移動機構４は、基部構造３に対して支持体２を回転させ、好ましくは基部構造３に対して支持体２を振動させる。移動機構４は従って、前記振動及び回転を用いてユーザの触覚刺激を行うように構成された偏心モータ又は他の同様の要素によって構成することができる。図４に示す第２実施形態では、感覚刺激装置は、支持体２と基部構造３との間の係合をスライドする手段３０を有する。前記スライド係合手段は有利には、支持体２と基部構造３との間に配置された１つ若しくはそれ以上のローラ３１を有し、ローラ３１の少なくとも１つのローラ３２は、移動機構４ａに運動学的に接続される。前記ローラは、円弧に沿って配置され、その結果、前記移動機構４ａの作動は、前記ローラ３１及び３２の配置によって規定された円弧に沿って基部構造３に対する支持体２の周期的変動（oscillation）を引き起こす。
【００２９】
多感覚刺激の残部は、ユーザの嗅覚、視覚及び聴覚を同時に刺激するように構成された複数の拡散器を有する刺激機器５によって行われる。従って、刺激機器５は、ユーザの聴覚を刺激するように構成されたスピーカ７と、ユーザの嗅覚を刺激するように構成された芳香を発する香料を放射するように構成された嗅覚拡散器８と、視覚を刺激するように構成された光拡散器９とを有する。
【００３０】
スピーカ７は好ましくは、デジタルタイプから構成される、すなわち音声は、デジタル形式で保存及び送信され、例えばハードディスク、ＣＤ、ＤＶＤ、ＵＳＢドライブ、ＳＤ記憶装置及び他の同様の手段などの適合したデジタル記憶装置に記憶される。
【００３１】
好ましくは、スピーカ７は、デジタルタイプから構成され、基部構造３の前記開口部の一部に配置されると共に音声／音楽を放射するように構成された１つ若しくはそれ以上のスピーカ筐体７ａと、基部構造３内部に収容されると共に前記デジタル記憶装置を読み取るように構成された読取システム７ｂとを有する。具体的には、スピーカ筐体７ａは、支持体２に配置され、読取システム７ｂは、デジタル記憶装置を挿入及び除去することができ、好適なケーブルを用いて信号をスピーカ７ａに送信することができるように構成されている。
【００３２】
図４に示す第２実施形態では、スピーカ７ｃは、ユーザの耳に隣接する支持体２の部分に配置されている。スピーカ７ｃは有利には、ステレオスピーカ筐体を有する。前記スピーカはまた、ステレオヘッドフォンとの任意接続のためのジャック出力を有する。
【００３３】
嗅覚拡散器８は、容易に交換することができる適合容器に閉じ込められた芳香剤又は芳香を発する香料を放射するように構成された既知の要素によって構成されている。例えば、前記拡散器は、液体の実質的に自然発生する蒸気、液体又は固体物質の加熱、あるいはそれに代えて、缶に蓄えられた気体の放出によって芳香を発する香料を放射する。
【００３４】
最後に、嗅覚拡散器８は、スピーカ筐体７ａのように、基部構造３に設けられた開口部に配置され、更に正確に言えば図２に示すように支持体２に配置される。
【００３５】
光拡散器９は、白色光又は異なる光度を有する着色光の好適な組み合わせを放射し、基部構造３に都合良く収容されると共に彼又は彼女が支持体２上に位置するときにユーザに光を当てるように開口部に配置されるランプ及びＬＥＤなどの１つ若しくはそれ以上の発光要素を有する。詳しくは、正しい光刺激を付与するために、光拡散器９は、支持体２に、より正確にはユーザに光の焦点を合わせることができるように構成されたミラー又は他の再方向（redirection）要素を有することができる。
【００３６】
図示されていない好ましい実施形態において、光拡散器は、ユーザの頭の前の支持体２の部分に配置されたＬＥＤ９ａを有する。光拡散器は、ユーザの顔の前に配置されると共に都合良く方向を合わせることができ、画像及びメッセージを表示するように構成されたモニター９ｂを有し、モニターは有利には、液晶ディスプレイタイプから構成される。
【００３７】
前記装置１は、装置１に動力を供給するのに適した動力供給システム１０と、前記装置の作動を制御するように構成された作動ユニット１１とを有する。
【００３８】
動力供給システム１０は、独立して、すなわち外部電気出力供給本線への接続を必要とすることなしに、及び／又は、従属した方法で、すなわち外部電気本線との電流接続部に前記装置を配置することによって動力を供給することができる。
【００３９】
詳しくは、動力供給システム１０は、太陽エネルギーを電気出力に直接変換するように構成された光起電性パネル１０ａと、電気出力を蓄えて供給するように構成された少なくとも１つのバッテリ１０ｂと、例えば電気ピンを備えて外部電気本線との電流接続部に装置１を配置するように構成されたケーブルによって構成される接続要素１０ｃとを有する。具体的には、光起電性パネル１０ａは、基部構造３の側面に、すなわち支持体２及び地面ではない表面に配置され、バッテリは、基部構造３内部に収容される。
【００４０】
図３に示す作動ユニット１１は、電子カード６によって、装置１の作動、特に移動機構４の作動と拡散器７、８、９の作動とを所定の順序に従って又は好ましくは同時に指示することができる。
【００４１】
この作動は、手動で、すなわちユーザによって操作されるスイッチを用いて、あるいはそれに代えて、自動で、すなわちユーザの存在を検出するように構成された１つ若しくはそれ以上のセンサを用いて行うことができる。
【００４２】
具体的には、作動ユニット１１は、装置１の作動を自動的に制御するように構成されており、従って、例えばユーザが支持体２に乗るときに生じる重量変化を検出することによってユーザの存在を検出するように構成されたセンサを有する。好ましくは、ユニット１１は支持体２に配置される。
【００４３】
前記の機能は全て、前記装置を構成する構成要素全ての操作を制御する電子カード６によって有利に制御される。
【００４４】
詳しくは、カード６は、１つ若しくはそれ以上の予め設定された順序に従って拡散器７、８、９及び移動機構４の操作を制御することができる。具体的には、電子カード６は、ユーザに行おうとする特定の治療に感覚刺激を適合させるために、電子カード６に予め読み込まれた又は電子カード６を用いてプログラムされ得る１つ若しくはそれ以上のプログラムに従って前記の構成要素の操作を制御するように構成される。
【００４５】
詳しくは、電子カード６は、基部構造３又は支持体２に都合良く連結されたキーボード又はキーパッドを用いて制御することができる。
【００４６】
別の方法として、電子カード６は、遠隔制御を用いて又は装置１を遠隔制御することができるように構成された他の装置を用いて、治療を選択することができるように構成されたアンテナ又は他の同様の要素を有利に備えている。
【００４７】
構造的意味において前述した多感覚刺激装置１の操作は、以下の通りである。
【００４８】
初めに、装置１は、普通の部屋、すなわち多感覚治療のために特に予め設定されていない部屋の内部に配置され、動力供給本線に接続される。
【００４９】
ユーザは、キーボード又は遠隔制御を用いて、多感覚刺激プログラムを選択する。
【００５０】
彼又は彼女は次に、装置１に接近して支持体２に彼自身又は彼女自身を配置する。この動作は、ユニット１１の作動を引き起こし、次に、電子カード６を用いて移動機構４及び移動機器５の作動を制御する。
【００５１】
詳しくは、選択されたプログラムに基づいて、従って電子カード６によって与えられる命令に基づいて、移動機構４は、予め設定された周波数及び振幅の周期的変動に応じて、ユーザに触覚刺激を生じさせる支持体２の振動を引き起こし始め、拡散器７、８、９は、ユーザの感覚の視覚刺激、音響刺激及び嗅覚刺激を始める。
【００５２】
首筋支持要素２２は、有利には膨張式クッションを備えたタイプからなる首筋支持要素２２は、ユーザの首の筋肉の緩和状態を引き起こすために、振動するように作ることができる又は周期的に膨張及び収縮することができる。
【００５３】
多感覚刺激プログラムが終わるとすぐに、前記カード６は、刺激機器５及び移動機構４を停止し、従って装置１の運転停止を制御する。
【００５４】
本発明は重要な利点を付与する。
【００５５】
多感覚刺激装置１は実際には、簡単に使うことができると共に低コストである。
【００５６】
具体的には、電子カード６を有利に存在させることで、装置１は、幾つかの多感覚刺激拡散器７、８、９及び移動機構４を制御及び調節する技術者を必要とすることなしに容易に使用することができる。
【００５７】
さらに、カード６は、作動パラメータを実質的にすべて調節することによって、装置１が実質的に完全な治療を行うことができるように構成されている。
【００５８】
装置１を用いて実現される別の利点は、多感覚刺激を実質的にどこでも、すなわち特別に高価な部屋を用意する必要なしに行うことができることである。
【００５９】
更なる利点は、低コストであるが高品質である多感覚治療を行うことができることである。
【００６０】
このようにして想定される装置は、多数の修正及び変形を行うことができ、その全ては、添付される特許請求の範囲内である。
【００６１】
全ての詳細はさらに、他の技術的に均等な要素と交換することができる。
【００６２】
実際には、使用される材料、並びに形状及び寸法は、要求及び技術水準に応じてあらゆるものであってもよい。
【００６３】
本願が優先権を主張するイタリア実用新案第ＭＩ２０１０Ｕ０００３６７号及びイタリア特許出願第ＭＩ２０１１Ａ００１０８２号における開示は、参照することにより本明細書に組み込まれる。
【００６４】
請求項に言及される技術的特徴は、参照符号を付しているが、それらの参照符号は、特許請求の範囲の理解を高めるためにだけに備えられており、従って参照符号は、参照符号による実施例として特定される各要素の解釈に限定するものではない。
【図１】
2014503263.tif 000003
【図２】
2014503263.tif 000004
【図３】
2014503263.tif 000005
【図４】
2014503263.tif 000006
【国際調査報告】
2014503263.tif 000007
2014503263.tif 000008
2014503263.tif 000009